(57)【特許請求の範囲】
【請求項１】
洗浄槽内に食器を入れ、ポンプにて洗浄水を洗浄槽内の食器に噴射させて食器を洗浄する食器洗浄乾燥機において、
洗浄中に発生した、食器に付着した汚染物などに由来する残滓を捕集する第１の残滓フィルタと、洗浄水の流れ方向についてみた場合に、前記第１の残滓フィルタよりも下流側に配設された、前記第１の残滓フィルタよりも目の粗い第２の残滓フィルタとが一体に形成された一体結合フィルタを備えており、かつ、
前記一体結合フィルタが着脱可能に構成されているとともに、
前記洗浄槽は、その底部に前記一体結合フィルタが配設される凹部を備え、かつ、前記凹部の側面には洗浄水吸込口が配設されており、前記洗浄水吸込口に対応する位置に前記第２の残滓フィルタが配設され、前記第２の残滓フィルタを通過した洗浄水が前記洗浄水吸込口に流入するように構成されており、
前記一体結合フィルタを構成する前記第２の残滓フィルタより下流側の前記洗浄水吸込口に、前記一体結合フィルタとは別体の第３の残滓フィルタを備えており、
前記第２の残滓フィルタと前記第３の残滓フィルタとは、ほぼ密着するような態様で配設されているとともに、
前記第２の残滓フィルタと前記第３の残滓フィルタとは、目の粗さおよび格子の配設ピッチが同じ格子状材料から形成されており、かつ、前記第２の残滓フィルタと前記第３の残滓フィルタとは、格子位置が重なるように構成されていること
を特徴とする食器洗浄乾燥機。
【請求項２】
前記第１の残滓フィルタと、前記第２の残滓フィルタとが一体に形成された前記一体結合フィルタが、着脱操作のための把持部を備えていることを特徴とする請求項１の食器洗浄乾燥機。
【請求項３】
前記凹部の底部に、前記第１の残滓フィルタを通過した洗浄水を排水するための排水ラインにつながる排水用洗浄水吸込口が配設されており、前記排水用洗浄水吸込口には、排水用残滓フィルタが配設されており、前記第１の残滓フィルタを通過し、前記排水用残滓フィルタを経て前記排水用洗浄水吸込口に流入した洗浄水が排水ポンプを経て系外に排水されるように構成されていることを特徴とする請求項１または２記載の食器洗浄乾燥機。
【発明の詳細な説明】
【技術分野】
【０００１】
本願発明は、食器洗浄乾燥機に関し、詳しくは、洗浄槽内に食器を入れ、ポンプにて洗浄槽内の洗浄水を食器に噴射させて食器を洗浄する食器洗浄乾燥機に関する。
【背景技術】
【０００２】
洗浄槽内に食器を入れ、ポンプにより洗浄槽内の洗浄水を食器に噴射させて食器を洗浄する食器洗浄乾燥機は、通常、食器に付着した汚染物などに由来する、洗浄水中の残滓を捕集する残滓を捕集するための残滓フィルタを備えた構造を有するものがある。
【０００３】
図７は、そのような食器洗浄乾燥機の一例を模式的に示す図である。この食器洗浄乾燥機は図７に示すように、食器を収納し、洗浄を行う洗浄槽５１と、洗浄水を洗浄槽５１内の食器に噴射させるポンプ（循環ポンプ）５２ａと、洗浄が終了した後に洗浄水を系外に排水するための排水ポンプ５２ｂと、洗浄中に発生した、食器に付着した汚染物などに由来する残滓を捕集するための第１の残滓フィルタ６１を備えている。
また、さらにその下流側の、洗浄槽５１と循環ポンプ５２ａの接続部である洗浄水吸込口５３ａには、第１の残滓フィルタ６１のセットし忘れやセット不良による残滓のポンプ５２ａへの流入を軽減するための第２の残滓フィルタ６２ａが配設されている。
さらに、洗浄水を排水するための排水ラインにつながる排水用洗浄水吸込口５３ｂには、残滓を含む洗浄水が排水されてしまうというような支障が生じないようにするための排水用残滓フィルタ６２ｂが配設されている。
【０００４】
第１の残滓フィルタ６１としては、この従来例では、例えば、多数の貫通孔６１ａ（図８）を備えたパンチングメタルなどの材料からなるものが用いられている。
【０００５】
また、第２の残滓フィルタ６２ａおよび排水用残滓フィルタ６２ｂとしては、例えば格子状材料からなるものが用いられており、第２の残滓フィルタ６２ａおよび排水用残滓フィルタ６２ｂは、第１の残滓フィルタ６１より目の粗いものが用いられている。
【０００６】
そして、この従来の食器洗浄乾燥機においては、図８に示すように、第１の残滓フィルタ６１は取り外し可能に構成されているが、第２の残滓フィルタ６２ａおよび排水用残滓フィルタ６２ｂは、洗浄槽５１の底部５４に設けられた凹部５５の側壁５５ａに一体形成されていたり、凹部５４の底部５５ｂにビス止めなどの方法で固定されたりしており、簡単に取り外すことができないように構成されている。
【０００７】
また、この従来例の食器洗浄乾燥機においては、第２の残滓フィルタ６２ａは、洗浄水を循環する際に洗浄水が通過する洗浄水吸込口５３ａに配設されており、排水用残滓フィルタ６２ｂは、洗浄水を排水する際に洗浄水が通過する排水用洗浄水吸込口５３ｂに配設されている。
【０００８】
なお、この従来の食器洗浄乾燥機において、循環ポンプ５２ａ，排水ポンプ５２ｂは、ポンプを構成するインペラーなどを含むポンプ部分がそれぞれ独立して設けられているが、循環ポンプ５２ａ，排水ポンプ５２ｂを駆動する駆動手段としては、一台のモータ６３が共通に用いられており、このモータ６３の回転方向を逆にすることにより、洗浄水の洗浄槽５１への循環と、洗浄水の系外への排出が行われるように構成されている。
【０００９】
このように構成された食器洗浄乾燥機を用いて食器を洗浄する場合、まず、給水を行い、洗浄槽に一定の洗浄水が貯まった後、モータ６３を所定の方向に回転させて循環ポンプ５２ａを作動させ、ノズル５６から食器に洗浄水を噴射する。
【００１０】
これにより、食器の洗浄が行われるとともに、洗浄が行われることにより発生した、食器に付着した汚染物などに由来する残滓を含む洗浄水が、第１のフィルタ６１を通過する。そして、第１の残滓フィルタ６１を通過した洗浄水は、第２の残滓フィルタ６２ａを通過し、洗浄水吸込口５３ａを経て循環ポンプ５２ａに吸い込まれ、循環ポンプ５２ａから、ノズル５６を経て食器に吹き付けられ、これを繰り返すことにより食器の洗浄が行われる。
【００１１】
そして、このようにして食器の洗浄が終了した後、モータ６３の回転方向を逆にして、洗浄液を系外へ排出するための排水ポンプ５２ｂを作動させる。これにより洗浄水が、排水用残滓フィルタ６２ｂを通過し、排水用洗浄水吸込口５３ｂを経て排水ポンプ５２ｂに吸い込まれ、系外に排出される。
【００１２】
しかしながら、上記従来の食器洗浄乾燥機においては、第１の残滓フィルタ６１を通過した細かい残滓が、第２の残滓フィルタ６２ａを構成する格子状部材のエッジ部などに付着し、それが積み重なって格子の目が詰まり、循環ポンプ５２ａの吸い込み量が減少することにより、ノズル５６からの噴射量が減少し、洗浄性能が低下するという問題点がある。
【００１３】
そして、第１の残滓フィルタ６１は食器の洗浄操作が終了した後に、洗浄槽から取り外して手洗いなどの方法で洗浄することができるが、第２の残滓フィルタ６２ａは、容易に取り外せないため、目詰まりした場合に、ユーザーがシンクなどで手洗いしたりすることができず、洗浄性能を維持するためのメンテナンスが困難であるという問題点がある。
なお、排水用洗浄水吸込口５３ｂに配設された排水用残滓フィルタ６２ｂにも、第１の残滓フィルタ６１を通過した細かい残滓が付着する場合があるが、繰り返して循環される洗浄水が通過する洗浄水吸込口５３ａに配設された第２のフィルタ６２ａに比べて、排水の際にのみ洗浄水が通過する排水用洗浄水吸込口５３ｂに配設された排水用残滓フィルタ６２ｂに目詰まりする程度は低く、それほど問題にはならないのが実情である。
【００１４】
なお、上記従来の食器洗浄乾燥機では、第２の残滓フィルタ６２ａが、洗浄水を循環する際に洗浄水が通過する洗浄水吸込口５３ａに配設されており、排水用残滓フィルタ６２ｂが、洗浄水を排水する際に洗浄水が通過する排水用洗浄水吸込口５３ｂに配設されている場合を例にとって説明したが、従来の食器洗浄乾燥機には、洗浄水を循環させる場合も、排出する場合も同じ第２の残滓フィルタを通過するように構成された食器洗浄乾燥機も広く用いられている。
【００１５】
しかし、その場合にも第２の残滓フィルタが目詰まりするおそれのあることは同様であり、上述の従来の食器洗浄乾燥機の場合と同様の問題点がある。
【００１６】
また、従来の食器洗浄乾燥機には、図９，図１０に示すような構造を有する食器洗浄乾燥機が提案されている（特許文献１参照）。この食器洗浄乾燥機においては、洗浄槽７１の底部の排水口７８の上方にフィルタ８７が配設され、洗浄水の水位を検知する水位検知部８１が、排水配管経路部８０と連通するように配設されているとともに、洗浄水から残滓を分離するためのフィルタ８７として、図１０に示すように、中央に水平に設けた円盤状の第１のフィルタ８８と、第１のフィルタ８８の周囲に略水平に設けた長方形の第２のフィルタ８９と、第１のフィルタ８８の円周部分の下方に鉛直に設けた第３のフィルタ９０から構成されたフィルタが配設されている。そして、各フィルタの穴の大きさ（目の粗さ）は、第１のフィルタ８８が最も大きく、第２のフィルタ８９、第３のフィルタ９０の順に小さくなるように構成されている。
【００１７】
さらに、この食器洗浄乾燥機では、第１のフィルタ８８の中央に、上方へ突出した略円柱形状の突起部９１が設けられており、突起部９１の側壁および天面の少なくとも一方には穴９２，９３が設けられるように構成されている。
【００１８】
この食器洗浄乾燥機を用いて食器を洗浄する場合、洗浄水の循環を一定時間繰り返した後、排水ポンプ７９にて排水配管経路部８０を介して排水口７８から洗浄水を排水し、排水配管経路部８０と連通している水位検知部８１が検知するまで給水弁８２から水を給水する。この一連の動作を数回繰り返すことによって食器を洗浄し、すすぎが行われる。
【００１９】
この食器洗浄乾燥機においては、第１のフィルタの略中央に上方へ突出した突起部を設け、この突起部の側壁または天面の少なくともいずれか一方に穴部を設けるようにしているので、第１のフィルタおよび第３のフィルタが目詰まりした場合にも、給水時の水位検知部への水の進入路を確保するとともに、排水配管経路部内の空気の逃げ道を確保することが可能であり、使用水量が安定するため、洗浄能力の高い食器洗浄乾燥機を提供することができるとされている。
【００２０】
しかしながら、この特許文献１の食器洗浄乾燥機の場合、各フィルタの穴の大きさが、第１のフィルタ８８が最も大きく、第２のフィルタ８９、第３のフィルタ９０の順に小さくなるようにしているので、第１のフィルタ８８以降の、下流側のフィルタになるほど目詰りが生じやすくなり、フィルタの洗浄に手間がかかるという問題点がある。すなわち、フィルタが目詰まりした場合にも、給水時の水位検知部への水の進入路を確保することができるとしても、目詰まりしたフィルタは残滓を分離する機能を果たさなくなるので、本来の機能を発揮させるためには頻繁にフィルタを洗浄することが必要となる。
【００２１】
また、第１，第２，第３の３種類のフィルタを組み合わせて用いていることから、構成が複雑になり、コストの増大を招くという問題点がある。
【特許文献１】特開２００２−２０９８２５号公報
【発明の開示】
【発明が解決しようとする課題】
【００２２】
本願発明は、上記課題を解決するものであり、フィルタの洗浄が容易で、かつ、それほど高い頻度でフィルタを洗浄しなくても、十分な洗浄性能を維持することが可能な食器洗浄乾燥機を提供することを目的とする。
【課題を解決するための手段】
【００２３】
上記課題を解決するために、本願発明（請求項１）の食器洗浄乾燥機は、
洗浄槽内に食器を入れ、ポンプにて洗浄水を洗浄槽内の食器に噴射させて食器を洗浄する食器洗浄乾燥機において、
洗浄中に発生した、食器に付着した汚染物などに由来する残滓を捕集する第１の残滓フィルタと、洗浄水の流れ方向についてみた場合に、前記第１の残滓フィルタよりも下流側に配設された、前記第１の残滓フィルタよりも目の粗い第２の残滓フィルタとが一体に形成された一体結合フィルタを備えており、かつ、
前記一体結合フィルタが着脱可能に構成されているとともに、
前記洗浄槽は、その底部に前記一体結合フィルタが配設される凹部を備え、かつ、前記凹部の側面には洗浄水吸込口が配設されており、前記洗浄水吸込口に対応する位置に前記第２の残滓フィルタが配設され、前記第２の残滓フィルタを通過した洗浄水が前記洗浄水吸込口に流入するように構成されており、
前記一体結合フィルタを構成する前記第２の残滓フィルタより下流側の前記洗浄水吸込口に、前記一体結合フィルタとは別体の第３の残滓フィルタを備えており、
前記第２の残滓フィルタと前記第３の残滓フィルタとは、ほぼ密着するような態様で配設されているとともに、
前記第２の残滓フィルタと前記第３の残滓フィルタとは、目の粗さおよび格子の配設ピッチが同じ格子状材料から形成されており、かつ、前記第２の残滓フィルタと前記第３の残滓フィルタとは、格子位置が重なるように構成されていること
を特徴としている。
【００２４】
また、請求項２の食器洗浄乾燥機は、請求項１の発明の構成において、前記第１の残滓フィルタと、前記第２の残滓フィルタとが一体に形成された前記一体結合フィルタが、着脱操作のための把持部を備えていることを特徴としている。
【００２５】
また、請求項３の食器洗浄乾燥機は、請求項１または２記載の食器洗浄乾燥機において、前記凹部の底部に、前記第１の残滓フィルタを通過した洗浄水を排水するための排水ラインにつながる排水用洗浄水吸込口が配設されており、前記排水用洗浄水吸込口には、排水用残滓フィルタが配設されており、前記第１の残滓フィルタを通過し、前記排水用残滓フィルタを経て前記排水用洗浄水吸込口に流入した洗浄水が排水ポンプを経て系外に排水されるように構成されていることを特徴としている。
【発明の効果】
【００２６】
本願発明（請求項１）の食器洗浄乾燥機は、洗浄槽内に食器を入れ、ポンプにて洗浄水を洗浄槽内の食器に噴射させて食器を洗浄する食器洗浄乾燥機において、洗浄中に発生した、食器に付着した汚染物などに由来する残滓を捕集する第１の残滓フィルタと、洗浄水の流れ方向についてみた場合に、前記第１の残滓フィルタよりも下流側に配設された、前記第１の残滓フィルタよりも目の粗い第２の残滓フィルタとが一体に形成された一体結合フィルタを備えており、かつ、一体結合フィルタが着脱可能に構成されているので、容易かつ確実に一体結合フィルタを洗浄することが可能になり、洗浄水吸込口が詰まることによる洗浄水の供給量の減少を防止して、洗浄性能を高く保つことが可能になる。
また、フィルタに細かい残滓が溜まることを防止して、異臭の発生を引き起こさないようにすることが可能になる。
また、第２の残滓フィルタが第１の残滓フィルタよりも目が粗く構成されているため、第１の残滓フィルタより下流側のフィルタで目詰まりすることが少なくなり、それほど高い頻度でフィルタを洗浄しなくても、十分な洗浄性能を維持することができる。
【００２７】
また、洗浄槽は、その底部に一体結合フィルタが配設される凹部を備え、かつ、凹部の側面には洗浄水吸込口が配設されており、洗浄水吸込口に対応する位置に第２の残滓フィルタが配設され、第２の残滓フィルタを通過した洗浄水が洗浄水吸込口に流入するように構成されているので、洗浄水吸込口が洗浄槽の底部の凹部の側面に形成されている場合において、洗浄水吸込口に流れ込む洗浄水から残滓を確実に分離することが可能になる。
【００２８】
また、一体結合フィルタを構成する第２の残滓フィルタより下流側の洗浄水吸込口に、一体結合フィルタとは別体の第３の残滓フィルタを備えているので、一体結合フィルタをセットし忘れた場合にも、異物がポンプに流入することを防止することが可能になり、さらに信頼性を向上させることが可能になる。
【００２９】
また、第２の残滓フィルタと第３の残滓フィルタとは、ほぼ密着するような態様で配設されているので、除去されるべき残滓はほとんどが第２の残滓フィルタにより除去されることになり、第３の残滓フィルタが目詰まりすることを防止することが可能になり、本願発明をより実効あらしめることが可能になる。
【００３０】
なお、第３の残滓フィルタを第２の残滓フィルタと、目の粗さおよび格子の配設ピッチが同じ格子状材料から形成し、格子位置が重なるようにしているので、第３の残滓フィルタへの残滓の付着を大幅に軽減することが可能になる。
【００３１】
また、請求項２の食器洗浄乾燥機のように、請求項１の発明の構成において、第１の残滓フィルタと、第２の残滓フィルタとが一体に形成された一体結合フィルタが、着脱操作のための把持部を備えた構成とした場合、把持部を持って一体結合フィルタを取り扱うことにより、容易に一体結合フィルタを取り外すことが可能になり、本願発明をより実効あらしめることが可能になる。
【００３２】
また、請求項５の食器洗浄乾燥機のように、請求項３または４記載の食器洗浄乾燥機において、凹部の底部に、第１の残滓フィルタを通過した洗浄水を排水するための排水ラインにつながる排水用洗浄水吸込口が配設されており、排水用洗浄水吸込口には排水用残滓フィルタが配設されており、第１の残滓フィルタを通過し、排水用残滓フィルタを経て排水用洗浄水吸込口に流入した洗浄水が排水ポンプを経て系外に排水されるような構成とした場合、洗浄水の循環用および排水用の吸込口（洗浄水吸込口および排水用洗浄水吸込口）の位置取りの自由度を高めることが可能になり、食器洗浄乾燥機内部の限られたスペースを効率よく利用して、小型高性能の食器洗浄乾燥機を提供することが可能になる。
【発明を実施するための最良の形態】
【００３３】
以下に本願発明の実施例を示して、本願発明の特徴とするところをさらに詳しく説明する。
【実施例１】
【００３４】
図１は本願発明が関連する発明（参考発明）の実施例（実施例１）にかかる食器洗浄乾燥機の全体構成を模式的に示す図、図２は食器洗浄乾燥機の洗浄槽に設けられた凹部の構成を示す斜視図、図３は参考発明の食器洗浄乾燥機において用いられている一体結合フィルタの構成を示す図であって、(ａ)は正面図、(ｂ)は斜視図、図４は食器洗浄乾燥機の洗浄槽の要部構成（一体結合フィルタと洗浄槽に設けられた凹部の係合態様）を説明する図である。
図１〜４に示すように、この食器洗浄乾燥機は、食器を収納し、洗浄を行う洗浄槽１と、洗浄水を洗浄槽１内の食器に噴射させるポンプ（循環ポンプ）２ａと、洗浄が終了した後に洗浄水を系外に排水するための排水ポンプ２ｂと、洗浄中に発生した、食器に付着した汚染物などに由来する残滓を捕集するための一体結合フィルタ１０を備えている。
そして、一体結合フィルタ１０は、洗浄槽１の底部４に設けられた凹部５に配設されている。
洗浄槽１の底部４に設けられた凹部５の側壁５ａには、洗浄水を循環するためのポンプ（循環ポンプ）２ａにつながる洗浄水吸込口３ａが配設されており、凹部５の底部５ｂには、洗浄水を排出するための排水ポンプ２ｂにつながる排水用洗浄水吸込口３ｂが配設されている。
【００３５】
また、洗浄水を排出するためのポンプ（排水ポンプ）２ｂにつながる排水用洗浄水吸込口３ｂには、格子状の材料から構成された、系外に排出される洗浄水から残滓を除去するための排水用残滓フィルタ２１が配設されている。
【００３６】
そして、一体結合フィルタ１０は、洗浄中に発生した、食器に付着した汚染物などに由来する残滓を捕集するための第１の残滓フィルタ１１と、洗浄水を循環させるための循環ポンプ２ａにつながる洗浄水吸込口３ａに対応する位置に配設された第２の残滓フィルタ１２とを備えており、第２の残滓フィルタ１２を通過した洗浄水が洗浄水吸込口３ａに流入し、循環ポンプ２ａを経て洗浄槽１に循環・供給されるように構成されている。
【００３７】
さらに具体的に説明すると、一体結合フィルタ１０を構成する第１の残滓フィルタ１１は、例えば、多数の貫通孔１１ａ（図３(ａ)）を備えたパンチングメタルなどの材料から構成されている。なお、図３(ａ)，(ｂ)以外の図では第１の残滓フィルタの貫通孔の記載を省略している。
【００３８】
また、一体結合フィルタ１０を構成する第２の残滓フィルタ１２は、例えば格子状に形成されており、この第２の残滓フィルタ１２は、第１の残滓フィルタ１１より目の粗いものが用いられている。
【００３９】
また、第１の残滓フィルタ１１と、第２の残滓フィルタ１２とが一体に形成された一体結合フィルタ１０には、取付、取り外しの際に把手となる把持部２３を備えており、この把持部２３を持って取り扱うことにより、一体結合フィルタ１０を容易に洗浄槽１の凹部５から取り外して、シンクなどで洗浄することができるように構成されている。
【００４０】
また、この実施例１の食器洗浄乾燥機において、ポンプ（循環ポンプ）２ａ，排水ポンプ２ｂは、ポンプ本体を構成するインペラーなどを含む構成部材はそれぞれ独立して設けられているが、循環ポンプ２ａ，排水ポンプ２ｂを駆動する駆動手段としては、一台のモータ１３が共通に用いられており、このモータ１３の回転方向を逆にすることにより、洗浄水の洗浄槽１への循環と、洗浄水の系外への排出が行われるように構成されている。
【００４１】
次に、この実施例１の食器洗浄乾燥機を用いて食器を洗浄する場合の動作について説明する。
【００４２】
食器を洗浄するにあたっては、まず、給水を行い、洗浄槽１に一定の洗浄水が貯まった後、モータ１３を所定の方向に回転させてポンプ（循環ポンプ）２ａを作動させ、ノズル６から食器に洗浄水を噴射する。
【００４３】
これにより、食器の洗浄が行われるとともに、洗浄が行われることにより発生した、食器に付着した汚染物などに由来する残滓を含む洗浄水が、一体結合フィルタ１０を構成する第１のフィルタ１１を通過する。
【００４４】
そして、第１の残滓フィルタ１１を通過した洗浄水は、一体結合フィルタ１０を構成する第２の残滓フィルタ１２を通過し、洗浄水吸込口３ａを経て循環ポンプ２ａに吸い込まれ、循環ポンプ２ａから、ノズル６を経て食器に吹き付けられ、これを繰り返すことにより食器の洗浄が行われる。
【００４５】
このようにして食器の洗浄が終了した後、モータ１３の回転方向を逆にして、洗浄液を系外へ排出するための排水ポンプ２ｂを作動させる。これにより洗浄水が、排水用残滓フィルタ２１を通過し、排水用洗浄水吸込口３ｂを経て排水ポンプ２ｂに吸い込まれ、系外に排出される。
【００４６】
この実施例１の食器洗浄乾燥機は、上述のように、第１の残滓フィルタ１１と、第１の残滓フィルタ１１よりも目の粗い第２の残滓フィルタ１２とが一体に形成された一体結合フィルタ１０を備えており、かつ、一体結合フィルタ１０が着脱可能に構成されているので、容易かつ確実に一体結合フィルタ１０を洗浄することが可能になり、洗浄水吸込口３ａが詰まることによる洗浄水の供給量の減少、洗浄性能の低下を防止することが可能になる。したがって、洗浄性能を高く保つことが可能で、信頼性の高い食器洗浄乾燥機を提供することが可能になる。
また、フィルタに細かい残滓が溜まることを防止して、異臭の発生を回避することが可能になる。
【００４７】
また、第２の残滓フィルタ１２が第１の残滓フィルタ１１よりも目が粗く構成されているため、第１の残滓フィルタ１１より下流側のフィルタで目詰まりすることが少なく、それほど高い頻度でフィルタを洗浄しなくても、洗浄水の循環量の低下を招くことがなく、十分な洗浄性能を維持することができる。
【００４８】
また、一体結合フィルタ１０が、着脱操作のための把持部２３を備えているので、把持部２３を持って一体結合フィルタ１０を取り扱うことにより、容易に一体結合フィルタ１０を取り外すことが可能になる。
【実施例２】
【００４９】
図５，図６は、本願発明の実施例（実施例２）にかかる食器洗浄乾燥機の要部構成を示す図である。
この実施例２の食器洗浄乾燥機においては、洗浄槽１の底部４に設けられた凹部５の側壁５ａの、洗浄水吸込口（洗浄水を循環するためのポンプ（循環ポンプ）２ａにつながる洗浄水吸込口）３ａに、格子状の材料から構成された洗浄水中の残滓を除去するための第３の残滓フィルタ３１が配設されている。
【００５０】
すなわち、この実施例２の食器洗浄乾燥機においては、第１および第２の残滓フィルタ１１，１２を備えた一体結合フィルタ１０の下流側、詳しくは、一体結合フィルタ１０を構成する第２の残滓フィルタ１２の下流側の、洗浄水を循環するための循環ポンプ２ａにつながる洗浄水吸込口３ａに、一体結合フィルタ１０とは別体の第３の残滓フィルタ３１が配設されている。
【００５１】
なお、第３の残滓フィルタ３１は、凹部５の側壁５ａと一体に形成されているが、別体として構成し、ビスなどの固定治具で取り外し可能に固定するようにしてもよい。
【００５２】
そして、この実施例２の食器洗浄乾燥機においては、第３の残滓フィルタ３１として、第２の残滓フィルタ１２と、目の粗さおよび格子の配設ピッチが同じものが用いられており、かつ、第２の残滓フィルタ１２が第３の残滓フィルタ３１に密着するように配設されている。
【００５３】
実施例２の食器洗浄乾燥機のその他の構成は、上記実施例１の場合と同様であることから、重複を避けるため、説明を省略する。
なお、図５および６において、図１〜４と同一符号を付した部分は、同一または相当する部分を示している。
【００５４】
この実施例２の食器洗浄乾燥機は、洗浄水を循環するための循環ポンプ２ａにつながる洗浄水吸込口３ａに、第３の残滓フィルタ３１を備えているので、仮に一体結合フィルタ１０をセットし忘れた場合にも、洗浄水は第３の残滓フィルタ３１を通過して循環ポンプ２ａに供給されることになるため、異物が循環ポンプ２ａに流入することを防止して、洗浄槽１に、洗浄に必要な量の洗浄水を供給することが可能になり、高い信頼性を実現することが可能になる。
【００５５】
また、第３の残滓フィルタ３１として、第２の残滓フィルタ１２と、目の粗さおよび格子の配設ピッチが同じものが用いられており、かつ、第２の残滓フィルタ１２が第３の残滓フィルタ３１に密着するように配設されているので、一体結合フィルタ１０がセットされた状態で使用されている場合には、第３の残滓フィルタ３１には残滓が付着しにくく、一体結合フィルタ１０を適当な間隔で取り外して洗浄することにより、長期間安定した運転を行うことが可能になる。
【００５６】
なお、この実施例２の食器洗浄乾燥機も、実施例１の食器洗浄乾燥機と同様に、洗浄水を排出するための排水ポンプ２ｂにつながる排水用洗浄水吸込口３ｂに、格子状の材料から構成された排水用残滓フィルタ２１を配設するようにしているので、一体結合フィルタ１０をセットし忘れた場合にも、残滓（異物）が排水ポンプ２ｂに流入すること、および残滓を含む洗浄水が系外に排出することを防止することが可能になり、環境保護の見地からも信頼性の高い食器洗浄乾燥機を提供することが可能になる。
【００５７】
本願発明は、上記実施例に限定されるものではなく、洗浄槽の具体的な構造、第１の残滓フィルタ、第２の残滓フィルタ、第３の残滓フィルタ、排水用残滓フィルタの具体的な構成や目の粗さ、第１の残滓フィルタと第２の残滓フィルタを一体に備えた一体結合フィルタの具体的な形状や構造などに関し、発明の範囲内において、種々の応用、変形を加えることが可能である。
【産業上の利用可能性】
【００５８】
上述のように、本願発明によれば、容易かつ確実に残滓フィルタ（一体結合フィルタ）を洗浄することが可能で、洗浄水吸込口が詰まることによる洗浄水の供給量の減少を防止して、洗浄性能を高く保つことが可能な食器洗浄乾燥機を提供することが可能になる。
また、フィルタに細かい残滓が溜まることを防止して、異臭の発生を引き起こさないようにすることが可能になる。
【００５９】
したがって、本願発明は、残滓フィルタにより残滓を除去した洗浄水をポンプにて洗浄槽内の食器に噴射させて洗浄を行う食器洗浄乾燥機に広く適用することが可能である。
【図面の簡単な説明】
【００６０】
【図１】本願発明が関連する発明（参考発明）の実施例（実施例１）にかかる食器洗浄乾燥機の全体構成を模式的に示す図である。
【図２】実施例１にかかる食器洗浄乾燥機の洗浄槽に設けられた凹部の構成を示す斜視図である。
【図３】実施例１にかかる食器洗浄乾燥機において用いられている一体結合フィルタの構成を示す図であって、(ａ)は正面図、(ｂ)は斜視図である。
【図４】実施例１にかかる食器洗浄乾燥機の洗浄槽の要部構成（一体結合フィルタと洗浄槽に設けられた凹部の係合態様）を説明する図である。
【図５】本願発明の実施例（実施例２）にかかる食器洗浄乾燥機の要部構成を示す図である。
【図６】実施例２にかかる食器洗浄乾燥機の要部構成（第２の残滓フィルタと第３の残滓フィルタの係合状態）を示す図である。
【図７】従来の食器洗浄乾燥機の概略構成を示す図である。
【図８】従来の食器洗浄乾燥機の要部構成を示す図である。
【図９】従来の他の食器洗浄乾燥機の概略構成を示す図である。
【図１０】従来の他の食器洗浄乾燥機の要部構成を示す図である。
【符号の説明】
【００６１】
１          洗浄槽
２ａ        ポンプ（循環ポンプ）
２ｂ        排水ポンプ
３ａ        洗浄水吸込口
３ｂ        排水用洗浄水吸込口
４          洗浄槽の底部
５          洗浄槽の凹部
５ａ        凹部の側壁
５ｂ        凹部の底部
６          ノズル
１０        一体結合フィルタ
１１        第１の残滓フィルタ
１１ａ      貫通孔
１２        第２の残滓フィルタ
１３        モータ
２１        排水用残滓フィルタ
２３        把持部
３１        第３の残滓フィルタ
【図１】
0004753746.tif 000002
【図２】
0004753746.tif 000003
【図３】
0004753746.tif 000004
【図４】
0004753746.tif 000005
【図５】
0004753746.tif 000006
【図６】
0004753746.tif 000007
【図７】
0004753746.tif 000008
【図８】
0004753746.tif 000009
【図９】
0004753746.tif 000010
【図１０】
0004753746.tif 000011